(57)【要約】サービス基地局は端末からの切替指示メッセージを受信し、切替指示メッセージに基づいて、送信する切替確認メッセージにおける切替確認タイプのフィールドの内容を特定するステップＳ１０２と、前記サービス基地局は、前記切替確認タイプのフィールドの内容に基づいて、複数の目的基地局又は目的ＡＳＮに送信する切替確認メッセージにサービスフロー情報を付加するかどうかを判断するステップＳ１０４と、を含む切替確認メッセージの処理方法。本発明の切替確認メッセージの処理方法によければ、同一の制御フロー中で、異なるメッセージ内容に基づいて異なる分岐を切替えることにより、付加される冗長な情報を多く減少し、リンク制御情報の伝送効率及び受信端の処理効率を有効に高めることができる。
2010534433.tif 000002
【特許請求の範囲】
【請求項１】
サービス基地局は端末からの切替指示メッセージを受信し、前記切替指示メッセージに基づいて、送信する切替確認メッセージにおける切替確認タイプのフィールドの内容を特定するステップＳ１０２と、
前記サービス基地局は、前記切替確認タイプのフィールドの内容に基づいて、複数の目的基地局又は目的ＡＳＮに送信する切替確認メッセージにサービスフロー情報又は端末のＩＤを付加するかどうかを判断するステップＳ１０４と、
を含むことを特徴とする切替確認メッセージの処理方法。
【請求項２】
前記ステップＳ１０２において、前記切替指示メッセージは端末より目的基地局又は目的ＡＳＮを選択されたことを示す場合、前記切替確認タイプのフィールドの内容が確認又はキャンセルとされ、
前記ステップＳ１０４は、
前記サービス基地局から、切替確認タイプのフィールドの内容が確認とされ、且つサービスフロー情報が含まれる切替確認メッセージを、選択された目的基地局又は目的ＡＳＮに送信する処理と、
前記サービス基地局から、切替確認タイプのフィールドの内容がキャンセルとされ、且つ切替をキャンセルする端末のＩＤが含まれる切替確認メッセージを、非選択の目的基地局又は目的ＡＳＮに送信する処理と、を含む
ことを特徴とする請求項１に記載の切替確認メッセージの処理方法。
【請求項３】
前記ステップＳ１０２において、切替指示メッセージは端末より切替がキャンセルされたことを示す場合、前記切替確認タイプのフィールドの内容がキャンセルとされ、
前記ステップＳ１０４は、
前記サービス基地局から、切替確認タイプのフィールドの内容がキャンセルとされ、且つ切替をキャンセルする端末のＩＤが含まれる切替確認メッセージを、すべての目的基地局又は目的ＡＳＮに送信する処理を含む
ことを特徴とする請求項１に記載の切替確認メッセージの処理方法。
【請求項４】
前記ステップＳ１０２において、前記切替指示メッセージは端末により切替がリジェクトされたことを示す場合、前記切替確認タイプのフィールドの内容がリジェクトとされ、
前記ステップＳ１０４は、
前記サービス基地局から、切替確認タイプのフィールドの内容がリジェクトとされ、且つ切替をリジェクトする端末のＩＤが含まれる切替確認メッセージを、すべての目的基地局又は目的ＡＳＮ送信する処理を含む
ことを特徴とする請求項１に記載の切替確認メッセージの処理方法。
【請求項５】
前記サービス基地局は、前記切替指示メッセージを受信していなかった場合、切替確認タイプのフィールドの内容が非確認とされ、且つ前記サービスフロー情報が含まれる切替確認メッセージを、目的基地局又は目的ＡＳＮに送信する処理をさらに含むことを特徴とする請求項１に記載の切替確認メッセージの処理方法。
【請求項６】
前記目的基地局又は目的ＡＳＮは、切替確認メッセージを受信した後、切替確認タイプのフィールドの内容がキャンセル又はリジェクトである場合、前記端末のＩＤに基づいて切替準備段階で占用された資源をリーリスする処理をさらに含むことを特徴とする請求項１乃至請求項５のいずれかに記載の切替確認メッセージの処理方法。
【請求項７】
目的基地局又は目的ＡＳＮは、切替確認メッセージを受信した後、切替確認メッセージに応じて操作する処理を含むことを特徴とする請求項１乃至請求項５のいずれかに記載の切替確認メッセージの処理方法を使用する情報伝送方法。
【請求項８】
サービス基地局は、端末からの切替指示メッセージを受信し、前記切替指示メッセージに基づいて、切替が確認された確認メッセージ、切替が非確認である確認メッセージ、切替がキャンセルされた確認メッセージ、切替がリジェクトされた確認メッセージに分けられる切替確認メッセージを、目的基地局又は目的ＡＳＮに送信し、
前記切替が確認された確認メッセージ及び切替が非確認である確認メッセージにサービスフロー情報を付加し送信し、
前記切替がキャンセルされた確認メッセージ及び切替がリジェクトされた確認メッセージに端末のＩＤを付加し送信する
ことを特徴とする切替確認メッセージの処理方法。
【請求項９】
前記サービス基地局において、前記切替指示メッセージは前記端末により特定の目的基地局又は目的ＡＳＮが選択されたことを示すことを特定する場合、前記切替が確認された確認メッセージ及び切替が非確認である確認メッセージにサービスフロー情報を付加し送信し、前記切替がキャンセルされた確認メッセージ及び切替がリジェクトされた確認メッセージに端末のＩＤを付加し送信するステップは、
前記サービス基地局から、前記サービスフロー情報が付加される、切替が確認された確認メッセージを、選択された目的基地局又は目的ＡＳＮに送信し、且つ切替をキャンセルする端末のＩＤが付加される、切替がキャンセルされた確認メッセージを、非選択の目的基地局又は目的ＡＳＮに送信する処理を含むことを特徴とする請求項８に記載の切替確認メッセージの処理方法。
【請求項１０】
前記サービス基地局において、前記切替指示メッセージは前記端末により切替がキャンセルされたことを示すことを特定する場合、前記切替が確認された確認メッセージ及び切替が非確認である確認メッセージにサービスフロー情報を付加し送信し、前記切替がキャンセルされた確認メッセージ及び切替がリジェクトされた確認メッセージに端末のＩＤを付加し送信するステップは、
前記サービス基地局から、切替をキャンセルする端末のＩＤが付加される、切替がキャンセルされた確認メッセージを、すべての目的基地局又は目的ＡＳＮに送信する処理を含むことを特徴とする請求項８に記載の切替確認メッセージの処理方法。
【請求項１１】
前記サービス基地局において、前記切替指示メッセージは前記端末により切替がリジェクトされたことを示すことを特定する場合、前記切替が確認された確認メッセージ及び切替が非確認である確認メッセージにサービスフロー情報を付加し送信し、前記切替がキャンセルされた確認メッセージ及び切替がリジェクトされた確認メッセージに端末のＩＤを付加し送信するステップは、
前記サービス基地局から、切替をリジェクトする端末のＩＤが付加される、切替がリジェクトされた確認メッセージを、すべての目的基地局又は目的ＡＳＮに送信する処理を含むことを特徴とする請求項８に記載の切替確認メッセージの処理方法。
【請求項１２】
前記サービス基地局は、前記切替指示メッセージを受信していなかったことを特定する場合、サービスフロー情報が付加される、切替が非確認である確認メッセージを、すべての目的基地局又は目的ＡＳＮに送信する処理をさらに含むことを特徴とする請求項８乃至請求項１１のいずれかに記載の切替確認メッセージの処理方法。
【請求項１３】
目的基地局又は目的ＡＳＮは、切替確認メッセージを受信した後、切替確認メッセージに応じて操作する処理を含むことを特徴とする請求項８乃至請求項１１のいずれかに記載の切替確認メッセージの処理方法を使用する情報伝送方法。
【発明の詳細な説明】
【技術分野】
【０００１】
本発明は通信分野に関し、特に切替確認メッセージの処理方法に関する。
【背景技術】
【０００２】
無線通信系統では、異なる制御実体の間、協力してある機能を実現するために、制御情報を伝送する必要がある。ネットワーク内部における制御実体によって実現される機能が多くなり、携帯するユーザーが大勢になることに伴い、伝送する制御情報の負荷も高くなる。リンク上の情報伝送効率を高めることは早急に解決する問題となる。また、伝送する制御情報における内容は多くなることに伴い、受信端末において効率的に処理することも解決しなければならない問題となる。
【０００３】
一般的には、例えば、有効な伝送を最大限度に保証するためにパケットを分割するまたは組み合わせるように、情報伝送の観点から伝送効率の問題を解決する方法を考える。受信端末の処理効率を高めることについても、通常、情報伝送の観点から考える。しかしながら、実質上、制御フローは以下のような特徴を有する。
【０００４】
無線通信系統では、同じメッセージ名が異なるシーンに使用できる場合が多い。例として、ＩＥＥＥ８０２．１６システムにおいて切替実行段階に使用されるＨＯ＿Ｃｎｆ（Ｈａｎｄｏｆｆ  Ｃｏｎｆｉｒｍ、切替確認）メッセージが挙げられる。当該メッセージは４種のシーンに使用でき、そのフィールドＨＯ  Ｃｏｎｆｉｒｍ  Ｔｙｐｅ（切替確認タイプ）、即ち、Ｃｏｎｆｉｒｍ（確認）、Ｕｎｃｏｎｆｉｒｍ（非確認）、Ｃａｎｃｅｌ（キャンセル）、Ｒｅｊｅｃｔ（リジェクト）で異なる使用シーンを示す。受信端末は当該メッセージを受信した後、そのフィールドの内容を分析し、対応する次の動作を行う。
【０００５】
現在、そのようなメッセージには、例えば、サービスフローＩＤ、サービスフロー方向、分類器規則の索引（選択の必要性はＲ４、Ｒ６或はＲ８のチャネル粒度に依存する）、分類器規則の優先級（選択の必要性はＲ４、Ｒ６或はＲ８のチャネル粒度に依存する）及びＱｏＳ（Ｑｕａｌｉｔｙ  ｏｆ  Ｓｅｒｖｉｃｅ、サービス品質）パラメーターなどのようなサービスフロー（Ｓｅｒｖｉｃｅ  Ｆｌｏｗ、ＳＦと略称する）に関する、選択しなければならないフィールドが含まれている。これらのフィールドは、成功に切替した時に、受信端末が相応する情報を取得し、次の動作を行うように協力するものである。
【０００６】
一般的には、切替は切替準備と切替執行という二つの段階に分かれる。
【０００７】
予めデータチャネルを登録することは、切替準備の段階で行ってもよく、或は、切替執行の段階に遅らせ行ってもよい。切替準備の段階で予めデータチャネルを登録すれば、関するメッセージに当該端末の全てのサービスフローに関する情報を含ませらなければならない。これらの関するメッセージには、切替要求メッセージと切替応答メッセージ、或はデータチャネルの予め登録要求メッセージ、データチャネルの予め登録応答メッセージが含まれている。一つの端末において多数のサービスフローが存在することができる。ＮＷＧ１．１．１標準規格では、サービスフローとデータチャネルとは一対一であり、データチャネル情報がサービスフロー情報に含まれている。
【０００８】
切替執行の段階では、サービス基地局は、端末からエアーインターフェースを介して受信されたＭＯＢ＿ＨＯ＿ＩＮＤ（Ｍｏｂｉｌｅ  Ｈａｎｄｏｆｆ  Ｉｎｄｉｃａｔｉｏｎ、端末切替指示）メッセージの内容に基づいて、送信するＨＯ−ＣｎｆにおけるＨＯ  Ｃｏｎｆｉｒｍ  Ｔｙｐｅの値を決定する。
【０００９】
（１）端末から送信されたＭＯＢ＿ＨＯ＿ＩＮＤメッセージは、端末（Ｍｏｂｉｌｅ  Ｓｔａｔｉｏｎ、ＭＳと略称する）により目的基地局を１つ選択したことを示すものであると、サービス基地局から選択された目的基地局（または目的アクセス・サービス・ネットワーク（Ａｃｃｅｓｓ  Ｓｅｒｖｉｃｅ  Ｎｅｔｗｏｒｋ、ＡＳＮと略称する））に送信するＨＯ＿Ｃｎｆメッセージにおいて、ＨＯ  Ｃｏｎｆｉｒｍ  ＴｙｐｅがＣｏｎｆｉｒｍとされる。そして、サービス基地局から非選択の目的基地局（または目的ＡＳＮ）に送信するＨＯ＿Ｃｎｆメッセージにおいて、ＨＯ  Ｃｏｎｆｉｒｍ  ＴｙｐｅがＣａｎｃｅｌとされる。
【００１０】
（２）ＭＯＢ＿ＨＯ＿ＩＮＤはＭＳにより今回の切替をキャンセルしたことを示すものであると、サービス基地局（またはサービスＡＳＮ）から全ての目的基地局（または目的ＡＳＮ）に送信するＨＯ＿Ｃｎｆメッセージにおいて、ＨＯ  Ｃｏｎｆｉｒｍ  ＴｙｐｅがＣａｎｃｅｌとされる。
【００１１】
（３）ＭＯＢ＿ＨＯ＿ＩＮＤは、ＭＳが今回の切替をリジェクトしたことを示すものであると、サービス基地局（またはサービスＡＳＮ）から全ての目的基地局（または目的ＡＳＮ）に送信するＨＯ＿Ｃｎｆ情報において、ＨＯ  Ｃｏｎｆｉｒｍ  ＴｙｐｅをＲｅｊｅｃｔとする。
【００１２】
（４）ＭＯＢ＿ＨＯ＿ＩＮＤメッセージを受信していなかったと、サービス基地局（またはサービスＡＳＮ）から全ての目的基地局（または目的ＡＳＮ）に送信するＨＯ＿Ｃｎｆメッセージにおいて、ＨＯ  Ｃｏｎｆｉｒｍ  ＴｙｐｅがＵｎＣｏｎｆｉｒｍとされる。
【００１３】
プロトコル切替のフローに基づいて、サービス基地局から目的基地局に送信するＨＯ＿Ｃｎｆメッセージにおいて、ＨＯ  Ｃｏｎｆｉｒｍ  ＴｙｐｅがＣｏｎｆｉｒｍ、ＵｎＣｏｎｆｉｒｍであるに限り、端末が１つの目的基地局を成功にアクセスする可能性があるので、ＨＯ−Ｃｎｆメッセージに当該端末の全てのサービスフローに関するフィールドを含ませる必要がある。
【００１４】
プロトコル切替のフローに基づいて、サービス基地局から目的基地局に送信するＨＯ＿Ｃｎｆメッセージにおいて、ＨＯ  Ｃｏｎｆｉｒｍ  ＴｙｐｅがＣａｎｃｅｌ、Ｒｅｊｅｃｔである時に、下記の２種の場合がある。
【００１５】
（１）  切替準備の段階で予めデータチャネルを登録しなかった場合、リリースされる資源がないことを意味するため、ＨＯ−Ｃｎｆメッセージに当該端末のサービスフローに関するフィールドが含まれなくてもよい。
【００１６】
（２）  切替準備の段階で予めデータチャネルを登録した場合、予めデータチャネルを登録する時に当該端末のサービスフローに分配された資源をリリースする必要がある。予めデータチャネルを登録した場合、端末が含めているサービスフローが既知であり、データチャネルの予め登録に関するメッセージに当該端末及び含まれているサービスフローが示されたと、ＨＯ−Ｃｎｆメッセージに端末ＩＤのみが含まればよい。この場合、目的基地局は当該メッセージを受信した後、当該端末ＩＤに関するサービスフロー資源をリリースする。このように、ＨＯ−Ｃｎｆメッセージに当該端末のサービスフローに関するフィールドが含まれなくてもよい。
【００１７】
しかし、現在のプロトコルメッセージフローにおいて、非選択の目的基地局、或は切替がキャンセルされ又はリジェクトされたすべての目的基地局に対する、サービス基地局から送信されるＨＯ−Ｃｎｆメッセージにおいて、端末の全てのサービスフローに関するフィールド含まれているため、余計なオーバーヘッドが大量に発生し、且つ受信端末においても当該メッセージに含まれている全ての情報内容を解析してから、対応する処理をする。目的基地局を３つとし、端末が２つのサービスフロを含むと仮定すると、成功に切り替えるたびに、２つの目的基地局に切替がキャンセルされた知らせを送信し、従来のプロトコルに基づいて、当該メッセージには９×Ｎの無駄なフィールドが含まれる。そのなか、Ｎはサービスフローの数である。このような設計は、切替が頻繁的に発生する地域では、ネットワーク・リンクに冗長で、無駄なメッセージを大量にもたらしてしまう。受信端末においも、無駄な解析作業を大量に行ってしまう。
【発明の概要】
【課題を解決するための手段】
【００１８】
前述した四種の場合のいずれもにＨＯ−Ｃｎｆメッセージにおいて端末の全てのサービスフローに関するフィールドが含まれているため、余計なオーバーヘッドが大量に発生してしまう事情に鑑み、本発明は、異なるシーンに合わせて、メッセージのフローや、含まれるメッセージ内容を合わせて変更することにより、ネットワーク側のメッセージの伝送効率を高め、受信端末が処理する内容についても、異なるフローに応じて変更することにより、処理効率を高める切替確認メッセージの処理方法を提案している。
【００１９】
本発明の一局面は、サービス基地局は端末からの切替指示メッセージを受信し、切替指示メッセージに基づいて、送信する切替確認メッセージにおける切替確認タイプのフィールドの内容を特定するステップＳ１０２と、サービス基地局は、切替確認タイプのフィールドの内容に基づいて、複数の目的基地局又は目的ＡＳＮに送信する切替確認メッセージにサービスフロー情報又は端末のＩＤが付加されるかどうかを判断するステップＳ１０４と、を含む切替確認メッセージの処理方法である。
【００２０】
本発明は、目的基地局又は目的ＡＳＮが切替確認メッセージを受信した後、切替確認メッセージに応じて操作する処理を含む上記切替確認メッセージの処理方法を使用する情報伝送方法も提案している。
【００２１】
本発明の他の局面は、サービス基地局は端末からの切替指示メッセージを受信し、切替指示メッセージに基づいて、切替が確認された確認メッセージ、切替が非確認である確認メッセージ、切替がキャンセルされた確認メッセージ、切替がリジェクトされた確認メッセージに分られる切替確認メッセージを目的基地局又は目的ＡＳＮ送信し、切替が確認された確認メッセージ及び切替が非確認である確認メッセージにサービスフロー情報を付加し送信し、切替がキャンセルされた確認メッセージ及び切替がリジェクトされた確認メッセージに端末のＩＤを付加し送信する処理を含むことを特徴とする切替確認メッセージの処理方法である。
【００２２】
本発明は、目的基地局又は目的ＡＳＮが切替確認メッセージを受信した後、切替確認メッセージに応じて操作する処理を含む上記切替確認メッセージの処理方法を使用する情報伝送方法も提案している。
【００２３】
本発明の切替確認メッセージの処理方法によければ、同一の制御フロー中で、異なるメッセージ内容に基づいて異なる分岐を切替えることにより、付加されている冗長な情報を多く減少し、リンク制御情報の伝送効率及び受信端の処理効率を有効に高めることができる。
【図面の簡単な説明】
【００２４】
【図１】図１は本発明の実施例による切替確認メッセージの処理方法のフローチャートである。
【図２】図２は本発明の最良の実施例による携帯電話からの切替指示メッセージが目的基地局ＴＢＳ１が選択されたことを示す場合、切替確認メッセージの処理方法のフローチャートである。
【図３】図３は本発明の最良の実施例による携帯電話からの切替指示メッセージがＭＳにより今回の切替がキャンセルされたことを示す場合、切替確認メッセージの処理方法のフローチャートである。
【図４】図４は本発明の最良の実施例による携帯電話からの切替指示メッセージがＭＳにより今回の切替がリジェクトされたことを示す場合、切替確認メッセージの処理方法のフローチャートである。
【図５】図５は本発明の最良の実施例による携帯電話からの切替指示メッセージが欠落した場合、切替確認メッセージの処理方法のフローチャートである。
【図６】図６は本発明の他の最良の実施例による携帯電話からの切替指示メッセージが目的基地局ＴＢＳ１が選択されたことを示す場合、切替確認メッセージの処理方法のフローチャートである。
【図７】図７は本発明の他の最良の実施例による携帯電話からの切替指示メッセージがＭＳにより今回の切替がキャンセルされたことを示す場合、切替確認メッセージの処理方法のフローチャートである。
【図８】図８は本発明の他の最良の実施例による携帯電話からの切替指示メッセージがＭＳにより今回の切替がリジェクトされたことを示す場合、切替確認メッセージの処理方法のフローチャートである。
【図９】図９は本発明の他の最良の実施例による携帯電話からの切替指示メッセージが欠落した場合、切替確認メッセージの処理方法のフローチャートである。
【発明を実施するための形態】
【００２５】
（機能概要）
現在の技術では、サービス基地局から送信されるＨＯ−Ｃｎｆメッセージにおいて端末の全てのサービスフローに関するフィールドが含まれているため、ネットワーク・リンクに冗長で無駄な情報を大量にもたらしてしまい、余計なオーバーヘッドが大量に発生してしまう。これに対して、本発明は、異なるシーンに合わせて、メッセージのフローや付加されるメッセージ内容を変更することにより、ネットワーク側のメッセージの伝送効率を高め、受信端末が処理する内容についても異なるフローに応じて変更することにより、処理効率を高める切替確認メッセージの処理方法を提案している。
【００２６】
次に本発明の具体的な実施の形態を詳細に説明する。
【００２７】
本発明の実施例によれば、切替確認メッセージの処理方法を提案している。図１は本発明の実施例による切替確認メッセージの処理方法のフローチャートであり、図１に示すように、以下のようなステップが含まれている。
【００２８】
ステップＳ１０２：サービス基地局は、端末から送信されたＭＯＢ＿ＨＯ＿ＩＮＤ（切替指示）メッセージを受信した後、その情報に含まれている情報に基づいて、複数の目的基地局又は目的ＡＳＮに送信するＨＯ−ＣｎｆメッセージにおけるＨＯ  Ｃｏｎｆｉｒｍ  Ｔｙｐｅの内容を特定する。
【００２９】
ステップＳ１０４：サービス基地局は、特定されたＨＯ−ＣｎｆメッセージにおけるＨＯ  Ｃｏｎｆｉｒｍ  Ｔｙｐｅの内容に基づいて、ＨＯ＿Ｃｎｆメッセージを複数の目的基地局又は目的ＡＳＮに送信する時に、サービスフロー情報又は端末のＩＤを付加するかどうかを判断する。
【００３０】
本発明は上記切替確認メッセージの処理方法を使用する情報伝送方法も提案している。当該方法は、目的基地局又は目的ＡＳＮがＨＯ＿Ｃｎｆメッセージを受信した後、ＨＯ＿Ｃｎｆメッセージ及び他の付加された情報に応じて操作する処理を含まれている。
【００３１】
更に、ＭＳ（Ｍｏｂｉｌｅ  Ｓｔａｔｉｏｎ、端末）から送信されたＭＯＢ＿ＨＯ＿ＩＮＤメッセージに基づいて、ＭＳにより１つの目的基地局が選択されたことを示す場合、サービス基地局から目的基地局（又は目的ＡＳＮ）に送信するＨＯ＿Ｃｎｆメッセージにおいて、ＨＯ  Ｃｏｎｆｉｒｍ  ＴｙｐｅがＣｏｎｆｉｒｍとされ、かつ特定されたサービスフロー情報が含まれている。また、サービス基地局から非選択の目的基地局（又は目的ＡＳＮ）に同時に送信するＨＯ＿Ｃｎｆメッセージにおいて、ＨＯ  Ｃｏｎｆｉｒｍ  ＴｙｐｅがＣａｎｃｅｌとされ、かつ少なくとも今回の切替をキャンセルするＭＳのＩＤが含まれている。
【００３２】
サービス基地局の受信したＭＯＢ＿ＨＯ＿ＩＮＤはＭＳにより今回の切替がキャンセルされたことを示す場合、サービス基地局（又はサービスＡＳＮ）から全ての目的基地局（又は目的ＡＳＮ）に送信するＨＯ＿Ｃｎｆメッセージにおいて、ＨＯ  Ｃｏｎｆｉｒｍ  ＴｙｐｅがＣａｎｃｅｌとされ、かつ切替をキャンセルするＭＳのＩＤが含まれている。
【００３３】
サービス基地局の受信したＭＯＢ＿ＨＯ＿ＩＮＤはＭＳにより今回の切替がリジェクトされたことを示す場合、サービス基地局（又はサービスＡＳＮ）から全ての目的基地局（又は目的ＡＳＮ）に送信するＨＯ＿Ｃｎｆメッセージにおいて、ＨＯ  Ｃｏｎｆｉｒｍ  ＴｙｐｅがＲｅｊｅｃｔとされ、かつ切替をリジェクトするＭＳのＩＤが含まれている。
【００３４】
サービス基地局がＭＯＢ＿ＨＯ＿ＩＮＤメッセージを受信していなかった場合、サービス基地局（又はサービスＡＳＮ）から全ての目的基地局（又は目的ＡＳＮ）に送信するＨＯ＿Ｃｎｆメッセージにおいて、ＨＯ  Ｃｏｎｆｉｒｍ  ＴｙｐｅがＵｎＣｏｎｆｉｒｍとされ、かつ特定されたサービスフロー情報が含まれている。
【００３５】
更に、目的基地局はサービス基地局から送信されたＨＯ＿Ｃｎｆメッセージを受信した後、ＨＯ  Ｃｏｎｆｉｒｍ  Ｔｙｐｅの内容を判断する。ＣａｎｃｅｌまたはＲｅｊｅｃｔであれば、このメッセージに含まれているＭＳのＩＤに基づいて、切替準備段階で占用されている資源をリリースする。
【００３６】
便宜に、候補の目的基地局を、図２に示すように、ＴＢＳ１とＴＢＳ２という２つの基地局とし、上記端末を下記の実施例で携帯電話とする。
【００３７】
図２は本発明の最良の実施例による携帯電話からの切替指示メッセージは目的基地局ＴＢＳ１が選択されたことを示す場合、切替確認メッセージの処理方法のフローチャートである。図２に示すように、当該方法は以下のようなステップが含まれている。
【００３８】
ステップＳ２０２：携帯電話から、ＭＳにより１つの目的基地局ＴＢＳ１が成功に選択されたことを示す切替指示メッセージをサービス基地局（Ｓｅｒｖｉｃｅ  Ｂａｓｉｃ  Ｓｔａｔｉｏｎ、ＳＢＳと略称する）に送信する。
【００３９】
ステップＳ２０４：サービス基地局は切替指示メッセージを受信した後、切替確認タイプが「確認」とされ、且つ特定されたサービスフロー情報が含まれている切替確認メッセージを目的基地局１（Ｔａｒｇｅｔ  Ｂａｓｉｃ  Ｓｔａｔｉｏｎ１、ＴＢＳ１と略称する）に送信する。
【００４０】
ステップＳ２０６：サービス基地局は切替指示メッセージを受信した後、切替確認タイプが「キャンセル」とされ、且つ少なくとも今回の切替をキャンセルするＭＳのＩＤが含まれている切替確認メッセージを目的基地局ＴＢＳ２に送信する。
【００４１】
ステップＳ２０４とステップＳ２０６は時間上の前後がなく、ステップＳ２０２の後に実行されれば良い。
【００４２】
図３は本発明の最良の実施例による携帯電話からの切替指示メッセージはＭＳにより今回の切替がキャンセルされたことを示す場合、切替確認メッセージの処理方法のフローチャートである。図３に示すように、当該方法は以下のようなステップが含まれている。
【００４３】
ステップＳ３０２：携帯電話から、ＭＳにより今回の切替がキャンセルされたことを示す切替指示メッセージをサービス基地局に送信する。
【００４４】
ステップＳ３０４：サービス基地局は切替指示メッセージを受信した後、切替確認タイプが「キャンセル」とされ、且つ少なくとも今回の切替をキャンセルするＭＳのＩＤが含まれている切替確認メッセージを目的基地局ＴＢＳ１に送信する。
【００４５】
ステップＳ３０６：サービス基地局は切替指示メッセージを受信した後、切替確認タイプが「キャンセル」とされ、且つ少なくとも今回の切替をキャンセルするＭＳのＩＤが含まれている切替確認メッセージを目的基地局に送信する。
【００４６】
ステップＳ３０４とステップＳ３０６は時間上の前後がなく、ステップＳ３０２の後に実行されれば良い。
【００４７】
図４は本発明の最良の実施例による携帯電話からの切替指示メッセージはＭＳにより今回の切替がリジェクトされたことを示す場合、切替確認メッセージの処理方法のフローチャートである。図４に示すように、当該方法は以下のようなステップが含まれている。
【００４８】
ステップＳ４０２：携帯電話から、ＭＳにより今回の切替がリジェクトされたことを示す切替指示メッセージをサービス基地局に送信する。
【００４９】
ステップＳ４０４：サービス基地局は切替指示メッセージを受信した後、切替確認タイプが「リジェクト」とされ、且つ少なくとも今回の切替をリジェクトするＭＳのＩＤが含まれている切替確認メッセージを目的基地局ＴＢＳ１に送信する。
【００５０】
ステップＳ４０６：サービス基地局は切替指示メッセージを受信した後、切替確認タイプが「リジェクト」とされ、且つ少なくとも今回の切替をリジェクトするＭＳのＩＤが含まれている切替確認メッセージを目的基地局ＴＢＳ２に送信する。
【００５１】
ステップＳ４０４とステップＳ４０６は時間上の前後がなく、ステップＳ４０２の後に実行されれば良い。
【００５２】
図５は本発明の最良の実施例による携帯電話からの切替指示メッセージが欠落した場合、切替確認メッセージの処理方法のフローチャートである。図５に示すように、当該方法は以下のようなステップが含まれている。
【００５３】
ステップＳ５０２：携帯電話から切替指示メッセージをサービス基地局に送信したが、当該メッセージが空中で欠落した。
【００５４】
ステップＳ５０４：サービス基地局は切替指示タイマーのタイムアウトまで切替指示メッセージを受信していなかった場合、切替確認タイプが「非確認」とされる切替確認メッセージを目的基地局ＴＢＳ１に送信する。また、端末が１つの目的基地局を成功にアクセスする可能性があるので、当該メッセージに特定されたサービスフロー情報を付加する。
【００５５】
ステップＳ５０６：サービス基地局は切替指示タイマーのタイムアウトまで切替指示メッセージを受信していなかった場合、切替確認タイプが「非確認」とされ、且つ特定されたサービスフロー情報が含まれている切替確認メッセージを目的基地局ＴＢＳ２に送信する。
【００５６】
ステップＳ５０４とステップＳ５０６は時間上の前後がなく、ステップＳ５０２の後に実行されれば良い。
【００５７】
本発明の他の実施例によければ、以下のような処理が含まれている切替手法の最適化方法を提供する。サービス基地局は、切替中の発生可能な状況に基づいて、切替が確認された確認メッセージ、切替が非確認である確認メッセージ、切替がキャンセルされた確認メッセージ及び切替がリジェクトされた確認メッセージという異なる切替確認メッセージを目的基地局に送信する。そうすれば、切替が確認された確認メッセージ及び切替が非確認である確認メッセージにおいて、サービスフロに関するフィールドが含まれなければならず、切替がキャンセルされた確認メッセージ及び切替がリジェクトされた確認メッセージにおいて、少なくとも対応する端末のＩＤが含まれている。
【００５８】
更に、ＭＳから送信されたＭＯＢ＿ＨＯ＿ＩＮＤメッセージはＭＳにより１つの目的基地局が選択されたことを示す場合、サービス基地局から、特定されたサービスフロー情報が含まれている、切替が確認された確認メッセージを目的基地局（又は目的ＡＳＮ）に送信する。また、サービス基地局から、少なくとも切替をキャンセルするＭＳのＩＤが含まれている、切替がキャンセルされた確認メッセージを同時に非選択の目的基地局（又は目的ＡＳＮ）に送信する。
【００５９】
サービス基地局の受信したＭＯＢ＿ＨＯ＿ＩＮＤはＭＳにより今回の切替がキャンセルされたことを示す場合、サービス基地局（又はサービスＡＳＮ）から、少なくとも切替をキャンセルするＭＳのＩＤが含まれている、切替がキャンセルされた確認メッセージを全ての目的基地局（又は目的ＡＳＮ）に送信する。
【００６０】
サービス基地局の受信したＭＯＢ＿ＨＯ＿ＩＮＤはＭＳにより今回の切替がリジェクトされたことを示す場合、サービス基地局（又はサービスＡＳＮ）から、少なくとも切替をリジェクトするＭＳのＩＤが含まれている、切替がリジェクトされた確認メッセージを全ての目的基地局（又は目的ＡＳＮ）に送信する。
【００６１】
サービス基地局がＭＯＢ＿ＨＯ＿ＩＮＤメッセージを受信していなかった場合、サービス基地局（又はサービスＡＳＮ）から、特定されたサービスフロー情報が含まれている、切替が非確認である確認メッセージを全ての目的基地局（又は目的ＡＳＮ）に送信する。
【００６２】
本発明の切替手法の最適化方法によければ、同一の制御フローでは、異なるメッセージ内容に基づいて異なる分岐を切替えることにより、含まれている冗長な情報を多く減少し、リンク制御情報の伝送効率及び受信端の処理効率を有効に高めることができる。
【００６３】
本発明は上記切替確認メッセージの処理方法を使用する情報伝送方法も提案している。当該方法は、目的基地局または目的ＡＳＮが切替確認メッセージを受信した後、切替確認メッセージに応じて操作する処理が含まれている。
【００６４】
図６は本発明の他の最良の実施例による携帯電話からの切替指示メッセージは目的基地局ＴＢＳ１が選択されたことを示す場合、切替確認メッセージの処理方法のフローチャートである。図６に示すように、当該方法は以下のようなステップが含まれている。
【００６５】
ステップＳ６０２：携帯電話からＭＳにより１つの目的基地局ＴＢＳ１が成功に選択されたことを示す切替指示メッセージをサービス基地局に送信する。
【００６６】
ステップＳ６０４：サービス基地局は切替指示メッセージを受信した後、特定されたサービスフロー情報が含まれている、切替が確認された確認メッセージを選択された目的基地局ＴＢＳ１に送信する。
【００６７】
ステップＳ６０６：サービス基地局は切替指示メッセージを受信した後、少なくとも今回の切替をキャンセルするＭＳのＩＤが含まれている、切替がキャンセルされた確認メッセージを非選択の目的基地局ＴＢＳ２に送信する。
【００６８】
ステップＳ６０４とステップＳ６０６は時間上の前後がなく、ステップＳ６０２の後に実施されれば良い。
【００６９】
図７は本発明の他の最良の実施例による携帯電話からの切替指示メッセージはＭＳにより今回の切替がキャンセルされたことを示す場合、切替確認メッセージの処理方法のフローチャートである。図７に示すように、当該方法は以下のようなステップが含まれている。
【００７０】
ステップＳ７０２：携帯電話からＭＳにより今回の切替がキャンセルされたことを示す切替指示メッセージをサービス基地局に送信する。
【００７１】
ステップＳ７０４：サービス基地局は切替指示メッセージを受信した後、少なくとも今回の切替をキャンセルするＭＳのＩＤが含まれている、切替がキャンセルされた確認メッセージを目的基地局ＴＢＳ１に送信する。
【００７２】
ステップＳ７０６：サービス基地局は切替指示メッセージを受信した後、少なくとも今回の切替をキャンセルするＭＳのＩＤが含まれている、切替がキャンセルされた確認メッセージを目的基地局ＴＢＳ２に送信する。
【００７３】
ステップＳ７０４とステップＳ７０６は時間上の前後がなく、ステップＳ７０２の後に実行されれば良い。
【００７４】
図８は本発明の他の最良の実施例による携帯電話からの切替指示メッセージはＭＳにより今回の切替がリジェクトされたことを示す場合、切替確認メッセージの処理方法のフローチャートである。図８に示すように、当該方法は以下のようなステップが含まれている。
【００７５】
ステップＳ８０２：携帯電話からＭＳにより今回の切替がリジェクトされたことを示す切替指示メッセージをサービス基地局に送信する。
【００７６】
ステップＳ８０４：サービス基地局は切替指示メッセージを受信した後、少なくとも今回の切替をリジェクトするＭＳのＩＤが含まれている、切替がリジェクトされた確認メッセージを目的基地局ＴＢＳ１に送信する。
【００７７】
ステップＳ８０６：サービス基地局は切替指示メッセージを受信した後、少なくとも今回の切替をリジェクトするＭＳのＩＤが含まれている、切替がリジェクトされた確認メッセージを目的基地局ＴＢＳ２に送信する。
【００７８】
ステップＳ８０４とステップＳ８０６は時間上の前後がなく、ステップＳ８０２の後に実行されれば良い。
【００７９】
図９は本発明の他の最良の実施例による携帯電話からの切替指示メッセージが欠落した場合、切替確認メッセージの処理方法のフローチャートである。図９に示すように、当該方法は以下のようなステップが含まれている。
【００８０】
ステップＳ９０２：携帯電話から切替指示メッセージをサービス基地局ＳＢＳに送信したが、当該切替指示メッセージが空中で欠落した。
【００８１】
ステップＳ９０４：サービス基地局は切替指示タイマーのタイムアウトまで切替指示メッセージを受信していなかった場合、特定されたサービスフロー情報が含まれている、切替が非確認である確認メッセージを目的基地局ＴＢＳ１に送信する。
【００８２】
ステップＳ９０６：サービス基地局は切替指示タイマーのタイムアウトまで切替指示メッセージを受信していなかった場合、特定されたサービスフロー情報が含まれている、切替が非確認である確認メッセージを目的基地局ＴＢＳ２に送信する。
【００８３】
ステップＳ９０４とステップＳ９０６は時間上の前後がなく、ステップＳ９０２の後に実行されれば良い。
【００８４】
本発明の切替確認メッセージの処理方法によれば、現在プロトコルにおけるＨＯ−Ｃｎｆメッセージの使用を最適化することにより、メッセージ伝送のオーバーヘッドを減少する。このように、端末のサービスフローが多いほど、減少されるオーバーヘッドは多い。
【００８５】
前述は本発明の最良の実施例に過ぎず、本発明が制限されるものではない。当業者にとって、本発明には各種の変更と変化がある。本発明の精神と要旨を逸脱しない範囲で、全ての修正、代替、改善などはいずれも本発明の保護範囲内に含まれている。
【図１】
2010534433.tif 000003
【図２】
2010534433.tif 000004
【図３】
2010534433.tif 000005
【図４】
2010534433.tif 000006
【図５】
2010534433.tif 000007
【図６】
2010534433.tif 000008
【図７】
2010534433.tif 000009
【図８】
2010534433.tif 000010
【図９】
2010534433.tif 000011
【国際調査報告】
2010534433.tif 000012
2010534433.tif 000013
2010534433.tif 000014
2010534433.tif 000015